(57)【要約】  給水ホース及び排水ホースの破損を防止するとともに、食器洗浄機本体内のスペースを効果的に利用可能にした食器洗浄機を提供する。  食器洗浄機（１００）は、洗浄槽（２）に給水する給水弁（６２）と、給水弁（６２）を有する給水入口体（６３）と、給水入口体（６３）に一端が、開閉蓋（１２）に形成された貫通穴部に他端がそれぞれ連結される給水出口体（６４）とで構成された給水機構（６０）、洗浄槽（２）に固着された排水連結突具（７２）と、食器洗浄機本体（１）に一端が固着され、他端が排水連結突具（７２）に連結される排水連結受け具（７３）とで構成された排水機構（７０）を備えており、洗浄槽（２）のスライド移動に伴って、排水連結突具（７２）と排水連結受け具（７３）とが連結自在となっていることを特徴とする。
2009072198.tif 000002
【特許請求の範囲】
【請求項１】
前面に前面開口部を有する食器洗浄機本体と、
上部に食器収納口を有し、前記食器洗浄機本体に収納され、前記前面開口部を前後方向にスライド移動可能に支持されている洗浄槽と、
前記洗浄槽の前記食器収納口を開閉自在に覆う開閉蓋と、
前記洗浄槽に水を供給する給水機構と、
前記洗浄槽から水を排水する排水機構と、を備え、
前記給水機構は、
前記洗浄槽に給水する給水弁と、
前記給水弁を有する給水入口体と、
前記給水入口体に一端が、前記開閉蓋に形成された貫通穴部に他端がそれぞれ連結される給水出口体とで構成され、
前記排水機構は、
前記洗浄槽に固着された排水連結突具と、
前記食器洗浄機本体に一端が固着され、他端が前記排水連結突具に連結される排水連結受け具とで構成されており、
前記洗浄槽のスライド移動に伴って、前記排水連結突具と前記排水連結受け具とが連結自在となっている
ことを特徴とする食器洗浄機。
【請求項２】
前記開閉蓋の前記食器洗浄機本体の前方側で前記給水出口体の他端が連結されており、
前記洗浄槽が前記食器洗浄機本体の前方側にスライド移動した状態においても前記他端を前記洗浄槽の上方に位置させている
ことを特徴とする請求項１に記載の食器洗浄機。
【請求項３】
前記開閉蓋を上下動可能に吊り下げ支持する蓋吊り下げ体を設け、
前記給水出口体は、
前記開閉蓋の上下動に伴って屈曲する
ことを特徴とする請求項１又は２に記載の食器洗浄機。
【請求項４】
前記開閉蓋の下面側に、多数の細孔が形成された分散水蓋を設けた
ことを特徴とする請求項１〜３のいずれかに記載の食器洗浄機。
【請求項５】
前記分散水蓋を前方側又は後方側に向かって下向きに傾斜させている
ことを特徴とする請求項４に記載の食器洗浄機。
【請求項６】
前面に前面開口部を有する食器洗浄機本体と、
上部に食器収納口を有し、前記食器洗浄機本体に収納され、前記前面開口部を前後方向にスライド移動可能に支持されている洗浄槽と、
前記洗浄槽に水を供給する給水機構と、
前記洗浄槽から水を排水する排水機構と、を備え、
前記給水機構は、
前記洗浄槽に給水する給水弁と、
前記給水弁を有する給水入口体と、
前記給水入口体に一端が、前記洗浄槽に形成されている貫通穴部に他端がそれぞれ連結される給水出口体とで構成され、
前記排水機構は、
前記洗浄槽に固着された排水連結突具と、
前記食器洗浄機本体に一端が固着され、他端が前記排水連結突具に連結される排水連結受け具とで構成されており、
前記洗浄槽のスライド移動に伴って、前記給水入口体と前記給水出口体とが、前記排水連結突具と前記排水連結受け具とがそれぞれ連結自在となっている
ことを特徴とする食器洗浄機。
【請求項７】
前記給水入口体と前記給水出口体との連結部分の下方側にこの連結部分からの漏水を受水する給水漏水受け体を設け、
前記排水連結突具と前記排水連結受け具との連結部分の下方側にこの連結部分からの漏水を受水する排水漏水受け体を設けた
ことを特徴とする請求項１、３、４、５又は６のいずれかに記載の食器洗浄機。
【請求項８】
前記給水漏水受け体及び前記排水漏水受け体は、
前方側端部が前記洗浄槽の側面に連結されており、前記前方側端部に向かって下向きとなるように傾斜されている
ことを特徴とする請求項７に記載の食器洗浄機。
【請求項９】
前記給水漏水受け体及び前記排水漏水受け体と連結する部分における前記洗浄槽の側面を貫通させた
ことを特徴とする請求項８に記載の食器洗浄機。
【請求項１０】
前記排水連結突具と前記排水連結受け具との連結部分を、前記洗浄槽内に供給された水の水位よりも上方に位置させている
ことを特徴とする請求項１〜９のいずれかに記載の食器洗浄機。
【請求項１１】
前記排水機構に連通する排水管の前記排水連結受け具の下流側に排水トラップを形成した
ことを特徴とする請求項１〜１０のいずれかに記載の食器洗浄機。
【請求項１２】
前記給水弁を前記給水入口体と前記給水出口体との連結部分よりも上流側に設けた
ことを特徴とする請求項１〜１１のいずれかに記載の食器洗浄機。
【請求項１３】
前記給水出口体を軟質材で構成する、又は、蛇腹状に構成する
ことを特徴とする請求項１〜１２のいずれかに記載の食器洗浄機。
【請求項１４】
前記洗浄槽内の洗浄水を排水する排水ポンプと、
前記洗浄槽をスライド移動させるための取っ手と、
前記取っ手の動作に連動し、洗浄槽の収納／引き出しを検知するドア開閉検知装置と、
前記ドア開閉検知装置からの情報に基づいて前記排水ポンプ及び前記給水弁の運転を制御する制御装置と、を備え、
前記制御装置は、
前記ドア開閉検知装置からの情報に基づいて、前記取っ手が操作され、前記洗浄槽が前方側にスライド移動される状態にあると判断すると、前記洗浄槽が前記食器洗浄機本体の前方側にスライド移動される前に、前記排水ポンプ及び前記給水弁の駆動を停止させる
ことを特徴とする請求項１〜１３のいずれかに記載の食器洗浄機。
【請求項１５】
前記取っ手の動作に連動して前記ドア開閉検知装置を操作するロック片を前記取っ手に設けた
ことを特徴とする請求項１４に記載の食器洗浄機。
【発明の詳細な説明】
【技術分野】
【０００１】
本発明は、洗浄槽内に収納された食器等の被洗浄物を洗浄する食器洗浄機に関し、特に洗浄槽を食器洗浄機本体の前方（正面）側に引き出す構成の食器洗浄機に関するものである。
【背景技術】
【０００２】
近年のシステムキッチン等に組み込まれるようなビルトインタイプの食器洗浄機は、流し台や調理台の下部、あるいはキッチンの壁面に収納されて洗浄槽が水平方向に引き出されるようになっている。このような食器洗浄機では、洗浄槽内に給水するための給水ホースと、洗浄に使用された洗浄水を排水するための排水ホースとが、洗浄槽と洗浄機本体との間に屈曲自在に連結されることが一般的となっている。そして、給水ホース及び排水ホースは、洗浄槽が洗浄機本体内に収納されたときに、洗浄槽と洗浄機本体との間に形成されるスペースに収まるようになっている。【０００３】
そのようなものとして、「食器洗浄機本体と、上方を開口して食器を収納し前記食器洗浄機本体から略水平方向に引き出し可能な洗浄槽と、前記食器洗浄機本体の背面に固定した給水弁と、前記洗浄槽に固定した排水ポンプと、前記給水弁に接続し前記洗浄槽内に給水する給水ホースと、前記洗浄槽内の洗浄液を排水する排水ホースとを備え、前記食器洗浄機本体または洗浄槽の背面にホースホルダーを回転支持し、前記給水ホースまたは排水ホースの内、少なくとも排水ホースを前記ホースホルダーにより保持し、前記洗浄槽の引き出し動作に応じてホースホルダーが回転し、排水ホースを牽引するよう構成した食器洗浄機」が開示されている（たとえば、特許文献１参照）。【０００４】
【特許文献１】特許第３１２９３１１号公報
【発明の開示】
【発明が解決しようとする課題】
【０００５】
特許文献１に記載のような食器洗浄機では、引き出し操作及び押し込み操作に伴って、給水ホース及び排水ホースが屈曲を繰り返すことになる。これが、給水ホースや排水ホースが破れる等の破損の原因となる。給水ホースや排水ホースが破損すると、食器洗浄機が組み込まれているシステムキッチン等の内部に漏水してしまうという問題が発生していた。また、給水ホース及び排水ホースを収納するための所定のスペースが必要となり、そのスペース確保に伴い、洗浄槽の小型化を余儀なくされたり、洗浄槽の所定スペースを確保するためには洗浄機本体の大型化が必要となり、流し台に収納できなくなったりする等の各種問題が発生していた。【０００６】
本発明は、上記のような問題を解決するためになされたもので、給水ホース及び排水ホースの破損を防止するとともに、食器洗浄機本体内のスペースを効果的に利用可能にした食器洗浄機を提供することを目的としている。
【課題を解決するための手段】
【０００７】
本発明に係る食器洗浄機は、前面に前面開口部を有する食器洗浄機本体と、上部に食器収納口を有し、前記食器洗浄機本体に収納され、前記前面開口部を前後方向にスライド移動可能に支持されている洗浄槽と、前記洗浄槽の前記食器収納口を開閉自在に覆う開閉蓋と、前記洗浄槽に水を供給する給水機構と、前記洗浄槽から水を排水する排水機構と、を備え、前記給水機構は、前記洗浄槽に給水する給水弁と、前記給水弁を有する給水入口体と、前記給水入口体に一端が、前記開閉蓋に形成された貫通穴部に他端がそれぞれ連結される給水出口体とで構成され、前記排水機構は、前記洗浄槽に固着された排水連結突具と、前記食器洗浄機本体に一端が固着され、他端が前記排水連結突具に連結される排水連結受け具とで構成されており、前記洗浄槽のスライド移動に伴って、前記排水連結突具と前記排水連結受け具とが連結自在となっていることを特徴とする。【０００８】
本発明に係る食器洗浄機は、前面に前面開口部を有する食器洗浄機本体と、上部に食器収納口を有し、前記食器洗浄機本体に収納され、前記前面開口部を前後方向にスライド移動可能に支持されている洗浄槽と、前記洗浄槽に水を供給する給水機構と、前記洗浄槽から水を排水する排水機構と、を備え、前記給水機構は、前記洗浄槽に給水する給水弁と、前記給水弁を有する給水入口体と、前記給水入口体に一端が、前記洗浄槽に形成されている貫通穴部に他端がそれぞれ連結される給水出口体とで構成され、前記排水機構は、前記洗浄槽に固着された排水連結突具と、前記食器洗浄機本体に一端が固着され、他端が前記排水連結突具に連結される排水連結受け具とで構成されており、前記洗浄槽のスライド移動に伴って、前記給水入口体と前記給水出口体とが、前記排水連結突具と前記排水連結受け具とがそれぞれ連結自在となっていることを特徴とする。
【発明の効果】
【０００９】
本発明に係る食器洗浄機によれば、洗浄槽の前後方向のスライド移動に伴う給水出口体の屈曲を回避でき、給水出口体の破損等を効果的に防止することができる。また、給水出口体の破損等を防止できるので、給水出口体の修理等を大幅に減少することができる。さらに、長い給水ホースを設けなくて済むので、洗浄槽と食器洗浄機本体との間に大きなスペースを確保しなくて済み、洗浄槽の大きさ及び食器洗浄機本体の大きさの自由度が増加する。【００１０】
本発明に係る食器洗浄機によれば、洗浄槽の前後方向のスライド移動に伴う給水出口体の屈曲を回避でき、給水出口体の破損等を効果的に防止することができる。また、給水出口体の破損等を防止できるので、給水出口体の修理等を大幅に減少することができる。さらに、洗浄槽と食器洗浄機本体との間に大きなスペースを確保しなくて済み、洗浄槽の大きさ及び食器洗浄機本体の大きさの自由度が増加する。
【図面の簡単な説明】
【００１１】
【図１】本発明の実施の形態に係る食器洗浄機の正面図である。
【図２】食器洗浄機の背面図である。
【図３】食器洗浄機の概略縦断面図である。
【図４】食器洗浄機の設置状態の一例を示すシステムキッチンの斜視図である。
【図５】洗浄槽が引き出されている状態のシステムキッチンの斜視図である。
【図６】給水機構を拡大して示す拡大断面図である。
【図７】給水機構の別の一例を拡大して示す拡大断面図である。
【図８】給水機構の別の一例を拡大して示す拡大断面図である。
【図９】給水機構の別の一例を示す洗浄槽全体の縦断面図である。
【図１０】洗浄槽が食器洗浄機本体から引き出された状態の断面構成を示す概略縦断面図である。
【図１１】取っ手部分を拡大して示す拡大断面図である。
【図１２】給水機構からの漏水防止を説明するための説明図である。
【図１３】排水機構からの漏水防止を説明するための説明図である。
【図１４】制御装置の電気的な構成を示すブロック図である。
【図１５】食器洗浄機の電気的な接続状態を説明するための説明図である。
【符号の説明】
【００１２】
１  食器洗浄機本体、１ａ  前面開口部、１ｂ  突起部、２  洗浄槽、３  被洗浄物、４  食器かご、５  レール、６  ガイド体、７  温水ヒータ、８  洗浄ポンプ、９  回転ノズル、１２  開閉蓋、１３  取っ手、１４  前扉、１４ａ  凹部、１４ｂ  穴部、１５  操作部、１６  表示部、１７  排気孔、１８  食器収納口、２０  送風機、２２  スタート／一時停止スイッチ、２３  制御装置、３０  シール材、３１  蓋吊り下げ体、３５  電源スイッチ、５０  ロック片、５５  ドア開閉検知装置、５６  水位検知装置、５７  残滓フィルタ、５８  温度検出装置、６０  給水機構、６０ａ  給水機構、６０ｂ  給水機構、６０ｃ  給水機構、６１  給水管、６２  給水弁、６３  給水入口体、６３ａ  給水管連結部、６３ｂ  入口側連結部、６４  給水出口体、６４ａ  洗浄槽連結部、６４ｂ  出口側連結部、６５  給水漏水受け体、６６  給水漏水口、６７  シールパッキン、６８  分散水蓋、７０  排水機構、７１  排水管、７２  排水連結突具、７２ａ  洗浄槽側端部、７２ｂ  突具側連結部、７３  排水連結受け具、７３ａ  本体側端部、７３ｂ  受け具側連結部、７４  シールパッキン、７５  排水漏水受け体、７６  排水漏水口、７７  排水ポンプ、７８  排水トラップ、８０  電源供給体、８１  電源供給具、８２  電源受給部、１００  食器洗浄機、１５０  システムキッチン、１５１  流し台、１５２  ドア、１５３  引き出し、１５４  シンク。
【発明を実施するための最良の形態】
【００１３】
以下、本発明の実施の形態を図面に基づいて説明する。
図１は、本発明の実施の形態に係る食器洗浄機１００の正面図である。図２は、食器洗浄機１００の背面図である。図３は、食器洗浄機１００の概略縦断面図である。図１〜図３に基づいて、食器洗浄機１００の構成について説明する。なお、図１を含め、以下の図面では各構成部材の大きさの関係が実際のものとは異なる場合がある。この食器洗浄機１００は、家庭等のシステムキッチン（図４及び図５参照）に設置され、洗浄槽２を食器洗浄機本体１の前方側に引き出す（スライドする）構成になっている。なお、図３では、洗浄槽２が食器洗浄機本体１に収納されている状態を示している。また、図３には、後段で詳細に説明する給水機構６０及び排水機構７０を図示している。【００１４】
図１に示すように、食器洗浄機１００の前面には、前扉１４が固着されている。この前扉１４の上部には、排気孔１７と、取っ手１３と、操作部１５とが設けられている。排気孔１７は、洗浄槽２内の空気を排気するためのものである。取っ手１３は、ユーザ（一般使用者や、保守員、作業員等を含む）が洗浄槽２を前方側に引き出したり（図５参照）、引き出した洗浄槽２を後方側に押し込んだりする際に掴むものである。操作部１５は、ユーザからの指示を受け付けるためのものである。【００１５】
この操作部１５には、ユーザからの指示を受け付けるための各種スイッチ（たとえば、食器洗浄機１００の運転をスタートさせたり、一時停止させたりするスタート／一時停止スイッチ２２や、食器洗浄機１００への電源供給をＯＮ／ＯＦＦする電源スイッチ３５等）が設けられている。なお、操作部１５に、運転状況や温度・時間の設定内容等の各種情報を表示できるＬＥＤ（ｌｉｇｈｔ−ｅｍｉｔｔｉｎｇ  ｄｉｏｄｅ：発光ダイオード）や、液晶ディスプレイ、蛍光管、エレクトロルミネセンス、プラズマディスプレイ等で構成された表示部１６（図１４参照）を併せて設けるようにしてもよい。【００１６】
図２に示すように、食器洗浄機１００を背面側から見ると、食器洗浄機本体１内に、洗浄槽２と、排水ポンプ７７と、給水管６１と、給水弁６２と、蓋吊り下げ体３１と、開閉蓋１２と、シール材３０と、送風機２０と、排水連結受け具７３と、排水連結受け具７３の下流側に排水トラップ７８が形成された排水管７１とが設置されていることがわかる。排水トラップ７８は、排水管７１の一部であって、排水連結受け具７３の下流側に形成することによって、この排水トラップ７８に常時適量の排水を溜めておくことができ、下水等からの異臭や害虫等の侵入を確実に防止できる。なお、図３には、洗浄槽２内における空気の流れ（矢印Ａ）と、洗浄水の流れ（矢印Ｂ）とが図示してある。【００１７】
食器洗浄機本体１は、前面に前面開口部１ａを有し、箱状に形成され、食器洗浄機１００の外郭を構成するものである。洗浄槽２は、食事等で使用された食器やコップ等の被洗浄物３を収容し、被洗浄物３の洗浄が行なわれるものである。また、洗浄槽２は、食器洗浄機本体１の内部に収納され、上方に開口部（食器収納口１８）が形成されており、食器洗浄機本体１の前面開口部１ａを通過し、前後方向にスライド移動可能に構成されている。この洗浄槽２には、被洗浄物３を載置する食器かご４が設けられている。【００１８】
温水ヒータ７は、洗浄槽２内に設けられており、洗浄槽２を循環する洗浄水を加熱するものである。洗浄ポンプ８は、洗浄槽２の底部に設けられており、回転ノズル９から洗浄水を噴射させることで洗浄槽２内において洗浄水を循環させるものである。回転ノズル９は、洗浄槽２の底面に回転自在に配設され、洗浄ポンプ８によって洗浄槽２内において洗浄水を噴射するものである。排水ポンプ７７は、洗浄槽２の底部外側に設けられており、洗浄に使用された洗浄水を食器洗浄機１００の外部に排水するものである。排水ポンプ７７によって加圧された洗浄水は、排水管７１内を導通し、排水連結突具７２及び排水連結受け具７３を介して外部に排水されるようになっている。なお、排水連結突具７２及び排水連結受け具７３については後に詳述する。【００１９】
送風機２０は、食器洗浄機本体１の後方側で洗浄槽２の外側に設けられ、被洗浄物３を乾燥させるための空気を循環させるようになっており、乾燥による排気は前扉１４に形成されている排気孔１７を経て戸外へ放出される。給水弁６２は、食器洗浄機本体１の後方側で洗浄槽２の外側上部の給水入口体６３に設けられており、洗浄水となる水道水を給水管６１、給水入口体６３及び給水出口体６４を介して洗浄槽２内部に供給するようになっている。【００２０】
また、給水弁６２は、給水入口体６３及び給水出口体６４の上流側に設けられている。このように、給水弁６２を給水入口体６３及び給水出口体６４の上流側に設けるようにしているために、洗浄槽２の引き出しに伴って給水入口体６３と給水出口体６４との連結が解除されても、その連結部の上流側で洗浄水の供給を止める、つまり止水することができ、給水入口体６３から洗浄槽２内以外における食器洗浄機本体１内に洗浄水が滴下するのを防止できる。【００２１】
開閉蓋１２は、洗浄槽２の食器収納口１８を開閉自在に覆うものである。この開閉蓋１２は、開閉蓋１２を吊り下げ支持する蓋吊り下げ体３１によって上下に可動するようになっている。また、後に詳述するが、開閉蓋１２には、給水出口体６４の一端（以下、洗浄槽連結部６４ａと称する）が連結されるようになっており、この連結部分を貫通穴部としている。つまり、給水出口体６４は、開閉蓋１２を介して洗浄槽２と連通するようになっているのである。シール材３０は、開閉蓋１２と食器収納口１８の縁とをシールするものである。また、洗浄槽２の底部には、残滓等を捕集する残滓フィルタ５７が設けられている。【００２２】
食器洗浄機本体１の前方側上部には、洗浄槽２が収納されている状態を検出するためのドア開閉検知装置５５が設けられている。このドア開閉検知装置５５は、洗浄槽２の移動を検出した時点でその情報を制御装置２３に送るようになっている。また、食器洗浄機本体１の前方側下部には、洗浄槽２内の洗浄水の位置を検出するための水位検知装置５６が設けられている。そして、これら検知装置の検出情報は、食器洗浄機本体１の前方側に設けられている制御装置２３に送られるようになっている。制御装置２３は、前扉１４と洗浄槽２との間に設けられており、操作部１５からのユーザ指示や各検知装置からの情報により洗浄ポンプ８や排水ポンプ７７、温水ヒータ７、送風機２０、給水弁６２等を制御するようになっている（図１４参照）。この制御装置２３は、マイクロコンピュータ等で構成するとよい。【００２３】
図４は、食器洗浄機１００の設置状態の一例を示すシステムキッチン１５０の斜視図である。図５は、洗浄槽２が引き出されている状態のシステムキッチン１５０の斜視図である。図４及び図５に基づいて、洗浄槽２の引き出しについて説明する。この実施の形態に係る食器洗浄機１００は、図４に例示するシステムキッチン１５０の一部に組み込まれて利用することができる。一般的に、システムキッチン１５０は、食器洗浄機１００の他に、引き出し１５３やドア１５２、シンク１５４、流し台１５１等で構成されている。【００２４】
図５に示すように、洗浄槽２は、その両側面に設けられているレール５が食器洗浄機本体１の両側に固着されたガイド体６をスライドすることによって前後方向に移動可能になっている。このガイド体６は、食器洗浄機本体１の両側面に取り付けられ、洗浄槽２の両側面に設けられているレール５を摺動自在に支持している。レール５は、洗浄槽２の両側面に取り付けられ、ガイド体６に沿って前後方向に移動可能になっている。なお、ガイド体６に回転ローラ（図示せず）を複数設けることで、レール５がスムースに移動することができる。また、洗浄槽２には、食事等で使用された食器やコップ等の被洗浄物３が収容されている。【００２５】
まず、ユーザは、洗浄槽２を前方に引き出す。そして、引き出された洗浄槽２の上面に形成された食器収納口１８より、汚れた被洗浄物３を洗浄槽２に着脱自在に挿入された食器かご４に載置し、前扉１４を食器洗浄機本体１内に押し込み洗浄槽２を食器洗浄機本体１に収納する。このとき、洗浄槽２が確実に食器洗浄機本体１に収納されたかどうかを検知するドア開閉検知装置５５が食器洗浄機本体１に設けられていて、収納状態を確認している。なお、ドア開閉検知装置５５は、洗浄槽２の前扉１４に設けても良い。また、ドア開閉検知装置５５は、洗浄槽２の移動を検出した時点でその情報を制御装置２３に送り、制御装置２３に給水弁６２や排水ポンプ７７、洗浄ポンプ８等の各種電気部品への電力供給を制御させる機能を有している。【００２６】
図６は、給水機構６０を説明するための説明図である。図６に基づいて、この実施の形態の特徴事項である給水機構６０について詳細に説明する。図６（ａ）が給水機構６０の拡大断面図を、図６（ｂ）が給水機構６０の分解図をそれぞれ示している。図６（ａ）に示すように、給水機構６０は、給水弁６２と、給水入口体６３と、給水出口体６４とで構成されている。給水弁６２は、給水管６１と給水出口体６４との間に連結されている。この給水弁６２は、図６（ｂ）に示すように、給水入口体６３と連結する入口側連結部６３ｂと、給水管６１と連結する給水管連結部６３ａとが両端部に形成されている給水入口体６３に設けられている。給水出口体６４は、洗浄槽連結部６４ａが開閉蓋１２に、他端が給水入口体６３に取り付けられている（以下、出口側連結部６４ｂと称する）。【００２７】
給水出口体６４は、開閉蓋１２の上下動に伴って屈曲自在に構成されており、たとえば軟質材等で構成するとよい。つまり、給水出口体６４の洗浄槽連結部６４ａを開閉蓋１２に取り付け、洗浄槽２に直接取り付けないようにしているために、給水出口体６４の長さを短くすることができ、洗浄槽２の前後方向のスライド移動に伴う給水出口体６４の屈曲を回避できる。したがって、給水出口体６４の破れ等の修理等を大幅に減少することができる。【００２８】
また、長い給水ホースを設けなくて済むので、洗浄槽２と食器洗浄機本体１との間に大きなスペースを確保しなくてよい。すなわち、洗浄槽２の大きさ及び食器洗浄機本体１の大きさの自由度が増加し、洗浄槽２を大型化しても、食器洗浄機本体１を大型化する必要がなくなる。さらに、洗浄槽２に収納された汚れた被洗浄物３を洗浄前に湿らすことができ、被洗浄物３に付着した残飯や残滓等を上から下に洗い流すことが可能となり、洗浄効率の向上に役立つ。また、給水出口体６４を軟質材で構成しておけば、開閉蓋１２をスムースに上下動できる。【００２９】
図７は、給水機構６０の別の一例を拡大して示す拡大断面図である。図７に基づいて、この実施の形態の特徴事項である給水機構６０の別の一例（以下、単に給水機構６０ａと称する）について詳細に説明する。この給水機構６０ａでは、開閉蓋１２の下面側に分散水蓋６８を配置している。この分散水蓋６８には、多数の細孔が形成されており、給水出口体６４からの洗浄水を洗浄槽２内の全体に散水させることができる。なお、分散水蓋６８は、前方側に向かって下向きに傾斜するように開閉蓋１２の下面側に取り付けられるようになっている。【００３０】
したがって、給水出口体６４の破れ等の修理等を大幅に減少することができる。また、長い給水ホースを設けなくて済むので、洗浄槽２と食器洗浄機本体１との間に大きなスペースを確保しなくてよい。つまり、洗浄槽２の大きさ及び食器洗浄機本体１の大きさの自由度が増加し、洗浄槽２を大型化しても、食器洗浄機本体１を大型化する必要がなくなる。さらに、洗浄槽２に収納された汚れた被洗浄物３を洗浄前に湿らすことができ、効率よく洗浄水を洗浄槽２内の全体に供給することができ、被洗浄物３に付着した残飯や残滓等を上から下に洗い流すことが可能となり、洗浄効率の向上に役立つ。【００３１】
図８は、給水機構６０の別の一例を拡大して示す拡大断面図である。図８に基づいて、この実施の形態の特徴事項である給水機構６０の別の一例（以下、単に給水機構６０ｂと称する）について詳細に説明する。この給水機構６０ｂでは、給水出口体６４を蛇腹状のホースで構成している。このような給水出口体６４で給水機構６０ｂを構成しても、洗浄槽２の前後方向の移動に伴う給水出口体６４の屈曲を回避できる。なお、給水機構６０ａの特徴事項である分散水蓋６８を開閉蓋１２の下面側に配置してもよい。【００３２】
したがって、給水出口体６４の破れ等の修理等を大幅に減少することができる。また、長い給水ホースを設けなくて済むので、洗浄槽２と食器洗浄機本体１との間に大きなスペースを確保しなくてよい。つまり、洗浄槽２の大きさ及び食器洗浄機本体１の大きさの自由度が増加し、洗浄槽２を大型化しても、食器洗浄機本体１を大型化する必要がなくなる。さらに、洗浄槽２に収納された汚れた被洗浄物３を洗浄前に湿らすことができ、被洗浄物３に付着した残飯や残滓等を上から下に洗い流すことが可能となり、洗浄効率の向上に役立つ。また、給水出口体６４を蛇腹状に構成しておけば、開閉蓋１２をスムースに上下動できる。【００３３】
図９は、給水機構６０の別の一例を示す洗浄槽２全体の縦断面図である。図１０は、洗浄槽２が食器洗浄機本体１から引き出された状態の断面構成を示す概略縦断面図である。図９及び図１０に基づいて、この実施の形態の特徴事項である給水機構６０の一例（以下、単に給水機構６０ｃと称する）について詳細に説明する。この給水機構６０ｃでは、給水出口体６４の洗浄槽連結部６４ａを開閉蓋１２の前方側に取り付け、給水入口体６３を開閉蓋１２の前方側まで延設するようになっている。つまり、給水入口体６３の入口側連結部６３ｂと給水出口体６４の出口側連結部６４ｂとを食器洗浄機本体１内の前方側で連結するようになっている。【００３４】
このような構成で給水機構６０ｃを構成しても、洗浄槽２の前後方向の移動に伴う給水入口体６３及び給水出口体６４の屈曲を回避できる。したがって、給水出口体６４の破れ等の修理等を大幅に減少することができる。また、給水入口体６３を食器収納口１８の近傍に配置させておくために、長い給水ホースを屈曲させなくて済むとともに、洗浄槽２と食器洗浄機本体１との間に大きなスペースを確保しなくてよい。つまり、洗浄槽２の大きさ及び食器洗浄機本体１の大きさの自由度が増加し、洗浄槽２を大型化しても、食器洗浄機本体１を大型化する必要がなくなる。【００３５】
さらに、洗浄槽２に収納された汚れた被洗浄物３を洗浄前に湿らすことができ、被洗浄物３に付着した残飯や残滓等を上から下に洗い流すことが可能となり、洗浄効率の向上に役立つ。更に言えば、給水出口体６４の洗浄槽連結部６４ａを開閉蓋１２の前方側に取り付け、洗浄槽２が引き出された状態においても洗浄槽連結部６４ａを洗浄槽２の後方側上方に位置させるようにしているので、洗浄槽２が引き出された状態においても、給水出口体６４の洗浄槽連結部６４ａから滴下する洗浄水を洗浄槽２内に落下させることができ、洗浄槽２の内部であって食器洗浄機本体１の内部に漏れることがない。【００３６】
また、万一給水弁６２にごみ等が付着し、給水入口体６３の入口側連結部６３ｂから極少量の漏水、滴下漏れなどがあっても、確実に洗浄槽２で回収することができ、食器洗浄機本体１内への滴下漏れ等を防止できる。なお、給水機構６０ａの特徴事項である分散水蓋６８（後方側に向かって下向きに傾斜させたもの）を開閉蓋１２の下面に配置してもよいし、給水機構６０ｂの特徴事項である蛇腹状のホースで給水出口体６４を構成してもよい。また、給水出口体６４を軟質材で構成したり、蛇腹状に構成したりしておけば、開閉蓋１２をスムースに上下動できる。【００３７】
ここで、この実施の形態のもう一つの特徴事項である排水機構７０について説明する。この排水機構７０は、洗浄槽２に固着された排水連結突具７２と、食器洗浄機本体１に固着された排水連結受け具７３とで構成され、洗浄槽２の引き出しに伴い、排水連結突具７２と排水連結受け具７３との連結が解除されるようになっている。つまり、洗浄槽２が収納されている状態においては、図９に示すように排水連結突具７２と排水連結受け具７３とが連結しているが、洗浄槽２が引き出された状態においては、図１０に示すように排水連結突具７２と排水連結受け具７３との連結が解除されるようになっている。【００３８】
このようにすることで、排水管７１と洗浄槽２とを接続する排水ホースを設けなくて済む。すなわち、洗浄槽２の前後方向の移動に伴って屈曲するような比較的長い排水ホースを設けることを回避できる。したがって、排水ホースの破れ等の修理等を大幅に減少することができる。また、排水ホースを設けなくて済むので、洗浄槽２と食器洗浄機本体１との間に大きなスペースを確保しなくてよい。したがって、洗浄槽２の大きさ及び食器洗浄機本体１の大きさの自由度が増加し、洗浄槽２を大型化しても、食器洗浄機本体１を大型化する必要がなくなる。【００３９】
また、この実施の形態に係る食器洗浄機１００は、洗浄槽２の引き出しに伴い、給水弁６２による止水と、排水ポンプ７７の運転停止と、排水連結突具７２及び排水連結受け具７３の連結解除とを連動させるようにしている。このようにすれば、洗浄槽２を食器洗浄機本体１から引き出す際に、排水連結突具７２及び排水連結受け具７３の連結が解除されるとともに、給水弁６２の止水及び排水ポンプ７７の運転停止が実行され、洗浄槽２の外部で食器洗浄機本体１内への水漏れを効果的に防止することができる。【００４０】
図１１は、取っ手１３部分を拡大して示す拡大断面図である。図１１に基づいて、取っ手１３の構成について詳細に説明する。図１１に示すように、取っ手１３には、食器洗浄機本体１から洗浄槽２の引き出しを阻止する出没自在のロック片５０が設けられている。ロック片５０は、ドア開閉検知装置５５を操作するとともに、洗浄槽２の引き出しをロックする機能を有している。このロック片５０は、取っ手１３の動作に連動するようになっている。ロック片５０は、取っ手１３の後方側の端部に、取っ手１３に対して略直角を形成するように立設されて設けられている。また、ロック片５０は、取っ手１３の前方側の端部が上がるに伴って下がるようになっている。【００４１】
取っ手１３を設ける前扉１４の上方には、その取っ手１３を取り付けるための凹部１４ａが形成されている。そして、凹部１４ａの上面には、ロック片５０を貫通させるための穴部１４ｂが貫通形成されている。また、食器洗浄機本体１の前面開口部１ａの上面側には、ロック片５０の一端を係止するための突起部１ｂが設けられている。つまり、ロック片５０は、穴部１４ｂを貫通して設けられており、突起部１ｂに係止することで洗浄槽２の引き出しをロックするとともに、ドア開閉検知装置５５と接触して洗浄槽２の収納状態を維持するのである。そして、ロック片５０は、取っ手１３が持ち上げられることによって、突起部１ｂとの係止及びドア開閉検知装置５５との接触が解除されるようになっている。【００４２】
洗浄槽２が食器洗浄機本体１に収納されている状態においては、ロック片５０の先端部がドア開閉検知装置５５に接触し、洗浄槽２が食器洗浄機本体１に収納されていると判断されるようになっている（図１１（ａ））。図１１に示すように、ドア開閉検知装置５５は、マイクロスイッチ等で構成されており、ロック片５０の接触状態で洗浄槽２の収納／引き出しを検知可能になっている。ユーザが取っ手１３を掴むと、取っ手１３の前方側の端部が持ち上がり、ロック片５０の先端部が下がり、ドア開閉検知装置５５から離れ、洗浄槽２が食器洗浄機本体１から引き出される状態にあると判断されるようになっている（図１１（ｂ））。そして、取っ手１３のロックが解除されると、洗浄槽２を引き出すことが可能になる（図１１（ｃ））。【００４３】
このように、洗浄槽２を容易に引き出せなくする、つまりロックを解除してから洗浄槽２を引き出すようにすることで、洗浄槽２の引き出しに若干の時間確保が可能となり、給水弁６２と排水ポンプ７７のそれぞれの機能を確実に停止することができる。特に、排水ポンプ７７は、電源停止後も慣性力が働いており、回転の完全停止まで若干の時間を要し、ロックが解除されてから洗浄槽２が実際に引き出されるまでに所定の時間を確保できるようにしておけば、排水ポンプ７７の機能を確実に停止してから洗浄槽２が引き出されることになる。つまり、排水機構７０からの漏水を効果的に防止することができる。【００４４】
図１２は、給水機構６０からの漏水防止を説明するための説明図である。図１２に基づいて、給水機構６０からの漏水を更に効果的に防止する手段について説明する。なお、この図１２では、給水入口体６３と給水出口体６４との連結部分の下方側に給水漏水受け体６５を設けた場合を例に示している。また、給水出口体６４の洗浄槽連結部６４ａが、図６〜図９で示したように開閉蓋１２の貫通穴部に連結するのではなく、洗浄槽２の後方側面に形成されている貫通穴部に連結する場合を例に示している。【００４５】
ここでは、図１２に示すように、給水出口体６４の出口側連結部６４ｂの内径は、給水入口体６３の入口側連結部６３ｂの外径よりも大きくなっており、この出口側連結部６４ｂに入口側連結部６３ｂが挿入することで、給水入口体６３と給水出口体６４とが連結されるようになっている。また、入口側連結部６３ｂの外縁には、漏水を更に効果的に防止するシールパッキン６７が設けられている。そして、給水入口体６３と給水出口体６４との連結部分の下方側には、給水漏水受け体６５が設けられている。この給水漏水受け体６５は、前方側端部が洗浄槽２の後方壁面に取り付けられており、この前方側端部が後方側端部に比較して下向きに傾斜するようになっている。また、給水漏水受け体６５は、後方側端部が出口側連結部６４ｂよりも後方側に位置するようになっている。【００４６】
一方、給水漏水受け体６５の前方側端部が取り付けられる洗浄槽２の後方壁面部分には、給水漏水口６６が形成されている。この給水漏水口６６は、洗浄槽２の後方壁面を貫通し、給水漏水受け体６５と洗浄槽２とを連通するものである。すなわち、給水入口体６３と給水出口体６４との連結部分からの漏水は、その下方側に配置されている給水漏水受け体６５で受水され、給水漏水受け体６５の前方側に流れ、給水漏水口６６を介して洗浄槽２内に流入する（図１２で示す矢印Ｃ）。【００４７】
給水入口体６３と給水出口体６４とが連結されている状態においては、給水漏水受け体６５は、給水入口体６３と給水出口体６４との連結部分の下側に位置し、この連結部分からの漏水を漏れなく受水し、洗浄槽２に流入させるようになっている（図１２（ａ））。洗浄槽２が引き出され始め、給水入口体６３と給水出口体６４との連結が解除され始める状態においては、給水漏水受け体６５は、後方側端部が出口側連結部６４ｂよりも後方側に長くなっているので、入口連結部６３ｂ及び出口側連結部６４ｂからの漏水を効果的に受水することができる（図１２（ｂ））。【００４８】
そして、洗浄槽２が完全に引き出され、給水入口体６３と給水出口体６４との連結が完全に解除されている状態においては、給水弁６２による止水が終了しているため、入口側連結部６３ｂから漏水することがない（図１２（ｃ））。つまり、給水漏水受け体６５の後方側端部を出口側連結部６４ｂよりも後方側に位置させることによって、給水弁６２による止水が終了するまでの時間差を設け、止水が終了するまでは給水漏水受け体６５で漏水を受水可能にしておき、食器洗浄機本体１への漏水を効果的に防止している。【００４９】
３行目の一文を削除しました。
図１２（ｂ）に示すように、給水出口体６４を傾斜角度θ1 で前方側が下向きとなるように傾斜させておけば、洗浄水を確実に洗浄槽２内に供給することが可能になる。また、図１２で示した給水出口体６４は、たとえば軟質材で構成したり、蛇腹状に構成してもよい。さらに、給水出口体６４の傾斜角度θ1 を特に限定するものではく、洗浄槽２と食器洗浄機本体１との間に形成されるスペースの大きさや給水弁６２の高さ位置に応じて決定するとよい。【００５０】
図１３は、排水機構７０からの漏水防止を説明するための説明図である。図１３に基づいて、排水機構７０からの漏水を更に効果的に防止する手段について説明する。なお、この図１３では、排水連結突具７２と排水連結受け具７３との連結部分の下方側に排水漏水受け体７５を設けた場合を例に示している。排水連結突具７２は、一端が洗浄槽２に固着され（以下、洗浄槽側端部７２ａと称する）、他端が排水連結受け具７３に連結されている（以下、突具側連結部７２ｂと称する）。排水連結受け具７３は、一端が食器洗浄機本体１に固着され（以下、本体側端部７３ａと称する）、他端が排水連結突具７２に連結されている（以下、受け具側連結部７３ｂと称する）。また、排水連結突具７２及び排水連結受け具７３は、排水管７１に連通するようになっている。【００５１】
ここでは、図１３に示すように、排水連結受け具７３の受け具側連結部７３ｂの内径は、排水連結突具７２の突具側連結部７２ｂの外径よりも大きくなっており、この受け具側連結部７３ｂに突具側連結部７２ｂが挿入することで、排水連結突具７２と排水連結受け具７３とが連結されるようになっている。また、突具側連結部７２ｂの外縁には、漏水を更に効果的に防止するシールパッキン７４が設けられている。そして、排水連結突具７２と排水連結受け具７３との連結部分の下方側には、排水漏水受け体７５が設けられている。この排水漏水受け体７５は、前方側端部が洗浄槽２の後方壁面に取り付けられており、この前方側端部が後方側端部に比較して下向きに傾斜するようになっている。また、排水漏水受け体７５は、後方側端部が突具側連結部７２ｂよりも後方側に位置するようになっている。【００５２】
一方、排水漏水受け体７５の前方側端部が取り付けられる洗浄槽２の後方壁面部分には、排水漏水口７６が形成されている。この排水漏水口７６は、洗浄槽２の後方壁面を貫通し、排水漏水受け体７５と洗浄槽２とを連通するものである。すなわち、排水連結突具７２と排水連結受け具７３との連結部分からの漏水は、その下方側に配置されている排水漏水受け体７５で受水され、排水漏水受け体７５の前方側に流れ、排水漏水口７６を介して洗浄槽２内に流入する（図１３で示す矢印Ｄ）。【００５３】
排水連結突具７２と排水連結受け具７３とが連結されている状態においては、排水漏水受け体７５は、排水連結突具７２と排水連結受け具７３との連結部分の下側に位置し、この連結部分からの漏水を漏れなく受水し、洗浄槽２に流入させるようになっている（図１３（ａ））。洗浄槽２が引き出され始め、排水連結突具７２と排水連結受け具７３との連結が解除され始める状態においては、排水漏水受け体７５は、後方側端部が突具側連結部７２ｂよりも後方側に長くなっているので、突具側連結部７２ｂ及び受け具側連結部７３ｂからの漏水を効果的に受水することができる（図１３（ｂ））。【００５４】
そして、洗浄槽２が完全に引き出され、排水連結突具７２と排水連結受け具７３との連結が完全に解除されている状態においては、排水ポンプ７７が停止を完了しているため、排水連結突具７２の突具側連結部７２ｂから漏水することがない（図１３（ｃ））。つまり、排水漏水受け体７５の後方側端部を突具側連結部７２ｂよりも後方側に位置させることによって、排水ポンプ７７の回転が完全に停止するまでの時間差を設け、排水ポンプ７７が完全に停止するまでは排水漏水受け体７５で受水可能にしておき、食器洗浄機本体１への漏水を効果的に防止している。【００５５】
図１３（ｂ）に示すように、排水連結突具７２を傾斜角度θ2 で前方側が下向きとなるように傾斜させておけば、洗浄水を確実に洗浄槽２内に戻すことが可能になる。また、排水連結受け具７３を傾斜角度θ3 で後方側が下向きとなるように傾斜させておけば、排水連結受け具７３に到達した洗浄水を確実に排水させることができる。なお、排水連結突具７２の傾斜角度θ2 及び排水連結受け具７３の傾斜角度θ3 を特に限定するものではなく、洗浄槽２と食器洗浄機本体１との間に形成されるスペースの大きさや排水機構７０の高さ位置に応じて決定するとよい。【００５６】
ここで、洗浄槽２内に供給される洗浄水の水位と排水機構７０の設置位置の関係について説明する。上述したように、洗浄槽２内の洗浄水の水位は、水位検知装置５６で検知され、その情報が制御装置２３に送られるようになっている。そして、排水機構７０（具体的には、排水連結突具７２と排水連結受け具７３との連結部分）は、洗浄槽２内に供給される洗浄水の水位よりも上方となる位置に設置されている。つまり、洗浄水の水位は、回転ノズル９の下側に位置しているのに対し、排水機構７０は、食器洗浄機本体１内の上方に設置されている（図３、図９及び図１０参照）。【００５７】
排水機構７０を洗浄槽２内に供給される洗浄水の水位よりも上方に設置することにより、洗浄槽２内の洗浄水が、その水圧によって自然排水されてしまうのを防止することができる。つまり、洗浄水は、排水ポンプ７７が駆動することで排水されるようになっており、排水ポンプ７７が駆動しない限り、排水されることはない。したがって、排水機構７０を洗浄槽２内に供給される洗浄水の水位よりも上方に設置しておけば、排水ポンプ７７が駆動していない洗浄動作中等であっても、洗浄水が自然排水されることを防止できる。【００５８】
図１４は、制御装置２３の電気的な構成を示すブロック図である。図１４に基づいて、制御装置２３の機能について説明する。制御装置２３は、食器洗浄機１００の動作を統括制御するＣＰＵ（中央処理装置）と、ＣＰＵが実行するプログラムや各種固定データを記憶しているＲＯＭ（リード・オンリ・メモリ）と、ＣＰＵがプログラムを実行する際に各種データを一時的に格納するワークメモリやページメモリとして機能するＲＡＭ（ランダム・アクセス・メモリ）とを主要部とした回路で構成されている。【００５９】
この制御装置２３は、操作部１５（タッチパネル等により表示部１６と一体的としているのであれば表示部１６も含む）からのユーザ指示や各検知装置（ドア開閉検知装置５５、水位検知装置５６及び温度検出装置５８）からの情報に基づいて、洗浄ポンプ８や排水ポンプ７７、温水ヒータ７、送風機２０、給水弁６２等を制御するようになっている。すなわち、制御装置２３は、ユーザからの指示や予め設定されている情報に基づいて、各種機器を制御しながら洗浄運転を実行する。【００６０】
ここで、食器洗浄機１００の動作について説明する。
洗浄槽２が食器洗浄機本体１に収納された状態において、ユーザにより操作部１５が操作されると、制御装置２３は、水道管に連結されている給水弁６２に指令を出し、止水を解除させ、洗浄槽２内に洗浄水となる水道水を供給させる。この水は、食器洗浄機本体１内の上方に上下動自在に蓋吊り下げ体３１により支持され、洗浄槽２の食器収納口１８をシール材３０を介して閉口していた開閉蓋１２に取り付けられている給水出口体６４から洗浄槽２内に散水される。【００６１】
このとき、図７で示した分散水蓋６８を設けるようにしておけば、洗浄槽２の全体に洗浄水を散水することができる。つまり、分散水蓋６８には多数の細孔が形成されており、分散水蓋６８を流れる洗浄水が洗浄槽２の全体に均一に供給されるようになっている。このようにしておけば、被洗浄物３の洗浄前に、被洗浄物３に付着した残滓等に適当な湿り気を与えることができ、こびり付けを緩和し、被洗浄物３から残滓等を落ちやすくすることが可能になる。【００６２】
また、図９及び図１０で示したように、給水出口体６４を開閉蓋１２の前方側に取り付け、給水入口体６３を開閉蓋１２の前方側まで延設するようにすることで、洗浄槽２を引き出した状態においても、給水出口体６４の洗浄槽連結部６４ａを洗浄槽２の食器収納口１８の後方側上部に位置させている。したがって、万一、給水弁６２の内部にごみ等が付着して漏水が発生しても、確実に洗浄槽２内でごみ等を回収でき、食器洗浄機本体１に影響を与えることがない。【００６３】
給水出口体６４より給水された洗浄槽２内の洗浄水は、その水位が水位検知装置５６で検知される。この水位検知装置５６は、洗浄水が所定量となったことを検知し、この情報が制御装置２３に送られる。この情報を受け取った制御装置２３は、給水弁６２に指令を出し、水道水の供給を停止、つまり止水する。そして、制御装置２３は、直ちに温水ヒータ７の発熱を開始させ、洗浄槽２内の洗浄水を所定温度にまで上昇させる。また、制御装置２３は、洗浄ポンプ８の運転を開始させる。洗浄ポンプ８が運転を開始するに伴って、多数の洗浄口を有する回転ノズル９が洗浄水圧により回転しながら、洗浄水を被洗浄物３に満遍なく衝突させ、被洗浄物３に付着した残滓等を洗い流す。【００６４】
残滓等は、残滓フィルタ５７により捕集される。この動作（洗浄運転）を所定の時間が経過するまで繰り返す。そして、所定時間経過後、制御装置２３は、洗浄ポンプ８の運転を停止させ、排水ポンプ７７の運転を開始させる。排水ポンプ７７が運転を開始すると、洗浄水は、排水管７１を導通し、排水機構７０及び排水トラップ７８を経由した後、外部の下水等に排水される。排水機構７０の排水連結受け具７３は、下流側（後方側）に向かって下向きに傾斜しているので、洗浄水は、確実に下水側に流れ落ち、水溜まりを防止できる。【００６５】
なお、排水機構７０（具体的には、排水連結突具７２と排水連結受け具７３との連結部分）は、洗浄槽２内に供給される洗浄水の水位よりも上方となる位置に設置されているので、洗浄槽２内に溜められている洗浄水が、その水圧により、排水機構７０を通過して、外部（下水）に自然に流出することを防止している。その後、制御装置２３は、洗浄された被洗浄物３等を乾燥させるために、送風機２０の運転を開始する（乾燥運転）。送風機２０が運転を開始すると、洗浄槽２内が乾燥し、この空気は、前扉１４に形成された排気孔１７より排気として外部に排出される。【００６６】
送風機２０の運転は、タイマー等による所定時間、又は、温度検出装置５８等による検知温度が所定温度となったときに制御装置２３により自動停止される。また、排水機構７０の下流側には、排水トラップ７８が形成されており、この排水トラップ７８には、常時適量の排水が溜められているために、たとえば下水等からの害虫の侵入、悪臭が洗浄槽内に侵入するのを防止できる。以上のようにして、制御装置２３は、洗浄運転及び乾燥運転を実行する。【００６７】
洗浄槽２は、ロック片５０によって食器洗浄機本体１にロックされているために、乾燥運転が終了しても、容易に前扉１４が開かないように、つまり洗浄槽２がスライド移動しないようになっている。ロックを解除するためには、ユーザは、取っ手１３を握り、この取っ手１３を上方に移動させなければならない。ロックが解除されると、ロック片５０とドア開閉検知装置５５との接触も解除され、この情報が制御装置２３に送られる。そして、制御装置２３は、給水弁６２や排水ポンプ７７、洗浄ポンプ８等の各種電気部品への電気供給を停止させて安全を確保するようになっている。【００６８】
このため、各種電気部品が動作中に洗浄槽２が勝手に引き出されることはなく、また動作中に洗浄槽２が引き出されたとしても、各種電気部品の運転を停止させてから洗浄槽２が引き出し可能になるので、たとえば排水機構７０からの水漏れ等は確実に防止される。なお、ロック片５０の動作前に、より確実に各種電気部品への電力供給を停止するためには、取っ手１３に触れたり、持ったりすることを検知できる検出装置、たとえば温度センサーや圧力センサー、静電容量センサー等を取っ手１３に設け、これらが働くようにしておけばより効果的となる。【００６９】
また、ロック片５０を電気的に制御し、各種電気部品への電力供給が停止後、すなわち数秒経過した後、ロックを解除することで、確実に各種電気部品の機能を完全停止でき、より効果的なものとなる。その後、取っ手１３を介して洗浄槽２を引き出すと、洗浄槽２は食器洗浄機本体１内をスライド移動する。このとき、制御装置２３は、蓋吊り下げ体３１に指令を出し、開閉蓋１２を上方に吊り上げ、洗浄槽２の食器収納口１８との接続を解除する。なお、洗浄槽２のスライド移動に伴い、開閉蓋１２も連動して上下動させる機構、たとえば上下動移動用のモータ等を設ければ、より確実に接続及び解除が可能となる。そして、引き出された洗浄槽２から、洗浄及び乾燥された清潔な被洗浄物３を取り出すことができる。【００７０】
図１５は、食器洗浄機１００の電気的な接続状態を説明するための説明図である。図１５に基づいて、食器洗浄機１００の各種電気部品に電源を供給するために接続される電源供給体８０について説明する。従来、洗浄槽２に取り付けられている各種電気部品に電源を供給するために接続されていた電源コードが洗浄槽２の移動に伴って屈曲し、この電源コードの破れ等の故障の原因になっていた。すなわち、電源コードも給水ホースや排水トラップのように屈曲を繰り返すことによって破損することが多かった。【００７１】
そこで、図１５に示すように、電源供給体８０も、給水機構６０及び排水機構７０と同様に、連結／分離可能に構成することで、給水機構６０及び排水機構７０と同様に、洗浄槽２の前後方向の移動に伴う屈曲を回避できる。この電源供給体８０は、電源供給具８１と、電源受給部８２とで構成されている。洗浄槽２が収納されている状態においては、電源供給体８０は、電源供給具８１に電源受給部８２が挿入することで一体化している（図１５（ａ））。洗浄槽２が引き出された状態においては、電源供給具８１と、電源受給部８２とが分離し、各種電気部品への電力供給が停止する。つまり、安全性を向上することもできる。
【図１】
2009072198.tif 000003
【図２】
2009072198.tif 000004
【図３】
2009072198.tif 000005
【図４】
2009072198.tif 000006
【図５】
2009072198.tif 000007
【図６】
2009072198.tif 000008
【図７】
2009072198.tif 000009
【図８】
2009072198.tif 000010
【図９】
2009072198.tif 000011
【図１０】
2009072198.tif 000012
【図１１】
2009072198.tif 000013
【図１２】
2009072198.tif 000014
【図１３】
2009072198.tif 000015
【図１４】
2009072198.tif 000016
【図１５】
2009072198.tif 000017
【国際調査報告】
2009072198.tif 000018
2009072198.tif 000019
2009072198.tif 000020
2009072198.tif 000021